【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
装置により、前記装置に関連付けられていないデバイスが、制限されたアクセスウィンドウのメッセージによって定義された時間期間中に前記装置と通信することを許可されたことを示す、前記メッセージを生成することと、
前記装置により、前記生成されたメッセージを送信することと
を備える、ワイヤレス通信の方法。
【請求項２】
前記時間期間中のスリープ状態または居眠り状態を禁止すること、
または、関連するデバイスも前記装置と通信するための前記時間期間を使用することができるかどうかを示すように、前記制限されたアクセスウィンドウのメッセージを生成すること、
または、前記時間期間中に前記装置と通信することを許可されたデバイスの一意のデバイス識別子を備えるように、前記制限されたアクセスウィンドウのメッセージを生成すること
をさらに備える、請求項１に記載の方法。
【請求項３】
第１の関連しないデバイスから第１のメッセージを受信することと、
前記時間期間中に前記第１のメッセージが受信された場合、前記第１のメッセージに対する応答を送信することと
をさらに備える、
または、前記制限されたアクセスウィンドウのメッセージを生成することが、前記時間期間の開始時間を示すインジケータを備えるように前記メッセージを生成することをさらに備え、前記開始時間が絶対時間基準に基づく、
請求項１に記載の方法。
【請求項４】
ワイヤレス通信用の装置であって、
前記装置に関連付けられていないデバイスが、制限されたアクセスウィンドウ（ＲＡＷ）のメッセージによって定義された時間期間中に前記装置と通信することを許可されたことを示す、前記メッセージを生成するように構成された処理システムと、
前記生成されたメッセージを送信するように構成された送信機と
を備える、装置。
【請求項５】
前記処理システムが、前記時間期間中のスリープ状態または居眠り状態を禁止するように、
または、前記時間期間中に前記装置と通信することを許可されたデバイスの一意のデバイス識別子を備えるように、前記制限されたアクセスウィンドウのメッセージを生成するように、
または、関連するデバイスも前記装置と通信するための前記時間期間を使用することができるかどうかを示すように、前記制限されたアクセスウィンドウのメッセージを生成するように
さらに構成された、請求項４に記載の装置。
【請求項６】
前記処理システムが、第１の関連しないデバイスから第１のメッセージを受信するようにさらに構成され、前記送信機において、前記時間期間中に前記第１のメッセージが受信された場合、前記第１のメッセージに対する応答を送信するようにさらに構成された、
または、前記処理システムが、前記時間期間の開始時間を示すインジケータをさらに備えるように、前記制限されたアクセスウィンドウのメッセージを生成するようにさらに構成され、前記開始時間が絶対時間基準に基づく、
請求項４に記載の装置。
【請求項７】
第１の装置により、制限されたアクセスウィンドウ（ＲＡＷ）のメッセージを復号して、第２の装置に関連付けられていないデバイスが、前記制限されたアクセスウィンドウのメッセージによって定義された時間期間中に前記第２の装置と通信することを許可されたと決定することと、
前記第１の装置により、前記第１の装置が前記第２の装置に関連付けられているかどうかに基づいて、前記時間期間中に前記第２の装置に別のメッセージを送信することと
を備える、ワイヤレス通信用の方法。
【請求項８】
前記第１の装置が前記第２の装置に関連付けられていない場合、前記送信が前記第２の装置に関連付けメッセージのみを送信することを備える、請求項７に記載の方法。
【請求項９】
前記制限されたアクセスウィンドウ（ＲＡＷ）のメッセージを復号して、前記第２の装置に関連付けられたデバイスが、前記時間期間中に前記第２の装置と通信することを許可されるかどうかを決定することをさらに備え、
ここにおいて、前記第２の装置に関連付けられたデバイスが前記時間期間中に前記第２の装置と通信することを許可され、前記第１の装置が前記第２の装置に関連付けられている場合、前記送信が前記時間期間中に前記第２の装置に前記別のメッセージを送信することを備える、請求項７に記載の方法。
【請求項１０】
前記第１の装置の一意のデバイス識別子が前記制限されたアクセスウィンドウのメッセージに含まれるかどうかに基づいて、前記時間期間中に前記第１の装置が前記第２の装置と通信することを許可されるかどうかを決定すること、
または、前記制限されたアクセスウィンドウのメッセージを復号して、前記時間期間の開始時間のインジケータを識別することをさらに備え、前記開始時間が絶対時間基準に基づく、請求項７に記載の方法。
【請求項１１】
ワイヤレス通信用の第１の装置であって、
第２の装置に関連付けられていないデバイスが、制限されたアクセスウィンドウのメッセージによって定義された時間期間中に前記第２の装置と通信することを許可されることを示す、前記制限されたアクセスウィンドウのメッセージを受信するように構成された処理システムと、
前記第１の装置が前記第２の装置に関連付けられているかどうかに基づいて、前記時間期間中に前記第２の装置に別のメッセージを送信するように構成された送信機と
を備える、第１の装置。
【請求項１２】
前記第１の装置が前記第２の装置に関連付けられていない場合、前記送信機が、前記第２の装置に関連付けメッセージのみを送信するようにさらに構成された、請求項１１に記載の装置。
【請求項１３】
前記処理システムが、
前記制限されたアクセスウィンドウ（ＲＡＷ）のメッセージを復号して、前記第２の装置に関連付けられたデバイスが、前記時間期間中に前記第２の装置と通信することを許可されるかどうかを決定することを行うようにさらに構成され、
前記第２の装置に関連付けられたデバイスが前記時間期間中に前記第２の装置と通信することを許可され、前記第１の装置が前記第２の装置に関連付けられている場合、前記送信機が、前記時間期間中に前記第２の装置に前記別のメッセージを送信するようにさらに構成された、請求項１１に記載の装置。
【請求項１４】
前記処理システムが、前記第１の装置の一意のデバイス識別子が前記制限されたアクセスウィンドウのメッセージに含まれるかどうかに基づいて、前記時間期間中に前記第１の装置が前記第２の装置と通信することを許可されるかどうかを決定するように、
または、前記制限されたアクセスウィンドウのメッセージを復号して、前記時間期間の開始時間のインジケータを識別する、ここで、前記開始時間が絶対時間基準に基づく、ように、
さらに構成された、請求項１１に記載の装置。
【請求項１５】
コンピュータ上で実行されたとき、請求項１―３または７−１０のうちのいずれか一項にしたがって方法を行うための命令を備えるコンピュータプログラム。
【手続補正２】
【補正対象書類名】明細書
【補正対象項目名】０２６５
【補正方法】変更
【補正の内容】
【０２６５】
[00287]上記は本開示の態様を対象とするが、本開示の他の態様およびさらなる態様は、その基本的範囲から逸脱することなく考案され得るし、その範囲は以下の特許請求の範囲によって決定される。
以下に本願発明の当初の特許請求の範囲に記載された発明を付記する。
［Ｃ１］
装置により、前記装置に関連付けられていないデバイスが、制限されたアクセスウィンドウのメッセージによって定義された時間期間中に前記装置と通信することを許可されたことを示す、前記メッセージを生成することと、
前記装置により、前記生成されたメッセージを送信することとを備える、ワイヤレス通信の方法。
［Ｃ２］
前記時間期間中のスリープ状態または居眠り状態を禁止することをさらに備える、Ｃ１に記載の方法。
［Ｃ３］
関連するデバイスも前記装置と通信するための前記時間期間を使用することができるかどうかを示すように、前記制限されたアクセスウィンドウのメッセージを生成することをさらに備える、Ｃ１に記載の方法。
［Ｃ４］
前記時間期間中に前記装置と通信することを許可されたデバイスの一意のデバイス識別子を備えるように、前記制限されたアクセスウィンドウのメッセージを生成することをさらに備える、Ｃ１に記載の方法。
［Ｃ５］
第１の関連しないデバイスから第１のメッセージを受信することと、
前記時間期間中に前記第１のメッセージが受信された場合、前記第１のメッセージに対する応答を送信することとをさらに備える、Ｃ１に記載の方法。
［Ｃ６］
前記制限されたアクセスウィンドウのメッセージを生成することが、前記時間期間の開始時間を示すインジケータを備えるように前記メッセージを生成することをさらに備え、前記開始時間が絶対時間基準に基づく、Ｃ１に記載の方法。
［Ｃ７］
ワイヤレス通信用の装置であって、
前記装置に関連付けられていないデバイスが、制限されたアクセスウィンドウ（ＲＡＷ）のメッセージによって定義された時間期間中に前記装置と通信することを許可されたことを示す、前記メッセージを生成するように構成された処理システムと、
前記生成されたメッセージを送信するように構成された送信機とを備える、装置。
［Ｃ８］
前記処理システムが、前記時間期間中のスリープ状態または居眠り状態を禁止するようにさらに構成された、Ｃ７に記載の装置。
［Ｃ９］
前記処理システムが、前記時間期間中に前記装置と通信することを許可されたデバイスの一意のデバイス識別子を備えるように、前記制限されたアクセスウィンドウのメッセージを生成するようにさらに構成された、Ｃ７に記載の装置。
［Ｃ１０］
前記処理システムが、関連するデバイスも前記装置と通信するための前記時間期間を使用することができるかどうかを示すように、前記制限されたアクセスウィンドウのメッセージを生成するようにさらに構成された、Ｃ７に記載の装置。
［Ｃ１１］
前記処理システムが、第１の関連しないデバイスから第１のメッセージを受信するようにさらに構成され、前記送信機において、前記時間期間中に前記第１のメッセージが受信された場合、前記第１のメッセージに対する応答を送信するようにさらに構成された、Ｃ７に記載の装置。
［Ｃ１２］
前記処理システムが、前記時間期間の開始時間を示すインジケータをさらに備えるように、前記制限されたアクセスウィンドウのメッセージを生成するようにさらに構成され、前記開始時間が絶対時間基準に基づく、Ｃ７に記載の装置。
［Ｃ１３］
第１の装置により、制限されたアクセスウィンドウ（ＲＡＷ）のメッセージを復号して、第２の装置に関連付けられていないデバイスが、前記制限されたアクセスウィンドウのメッセージによって定義された時間期間中に前記第２の装置と通信することを許可されたと決定することと、
前記第１の装置により、前記第１の装置が前記第２の装置に関連付けられているかどうかに基づいて、前記時間期間中に前記第２の装置に別のメッセージを送信することとを備える、ワイヤレス通信用の方法。
［Ｃ１４］
前記第１の装置が前記第２の装置に関連付けられていない場合、前記送信が前記第２の装置に関連付けメッセージのみを送信することを備える、Ｃ１３に記載の方法。
［Ｃ１５］
前記制限されたアクセスウィンドウ（ＲＡＷ）のメッセージを復号して、前記第２の装置に関連付けられたデバイスが、前記時間期間中に前記第２の装置と通信することを許可されるかどうかを決定することをさらに備え、
ここにおいて、前記第２の装置に関連付けられたデバイスが前記時間期間中に前記第２の装置と通信することを許可され、前記第１の装置が前記第２の装置に関連付けられている場合、前記送信が前記時間期間中に前記第２の装置に前記別のメッセージを送信することを備える、Ｃ１３に記載の方法。
［Ｃ１６］
前記第１の装置の一意のデバイス識別子が前記制限されたアクセスウィンドウのメッセージに含まれるかどうかに基づいて、前記時間期間中に前記第１の装置が前記第２の装置と通信することを許可されるかどうかを決定することをさらに備える、Ｃ１３に記載の方法。
［Ｃ１７］
前記制限されたアクセスウィンドウのメッセージを復号して、前記時間期間の開始時間のインジケータを識別することをさらに備え、前記開始時間が絶対時間基準に基づく、Ｃ１３に記載の方法。
［Ｃ１８］
ワイヤレス通信用の第１の装置であって、
第２の装置に関連付けられていないデバイスが、制限されたアクセスウィンドウのメッセージによって定義された時間期間中に前記第２の装置と通信することを許可されることを示す、前記制限されたアクセスウィンドウのメッセージを受信するように構成された処理システムと、
前記第１の装置が前記第２の装置に関連付けられているかどうかに基づいて、前記時間期間中に前記第２の装置に別のメッセージを送信するように構成された送信機とを備える、第１の装置。
［Ｃ１９］
前記第１の装置が前記第２の装置に関連付けられていない場合、前記送信機が、前記第２の装置に関連付けメッセージのみを送信するようにさらに構成された、Ｃ１８に記載の装置。
［Ｃ２０］
前記処理システムが、
前記制限されたアクセスウィンドウ（ＲＡＷ）のメッセージを復号して、前記第２の装置に関連付けられたデバイスが、前記時間期間中に前記第２の装置と通信することを許可されるかどうかを決定することを行うようにさらに構成され、
前記第２の装置に関連付けられたデバイスが前記時間期間中に前記第２の装置と通信することを許可され、前記第１の装置が前記第２の装置に関連付けられている場合、前記送信機が、前記時間期間中に前記第２の装置に前記別のメッセージを送信するようにさらに構成された、Ｃ１８に記載の装置。
［Ｃ２１］
前記処理システムが、前記第１の装置の一意のデバイス識別子が前記制限されたアクセスウィンドウのメッセージに含まれるかどうかに基づいて、前記時間期間中に前記第１の装置が前記第２の装置と通信することを許可されるかどうかを決定するようにさらに構成された、Ｃ１８に記載の装置。
［Ｃ２２］
前記処理システムが、前記制限されたアクセスウィンドウのメッセージを復号して、前記時間期間の開始時間のインジケータを識別するようにさらに構成され、前記開始時間が絶対時間基準に基づく、Ｃ１８に記載の装置。